(57)【特許請求の範囲】
【請求項１】
ナビゲーションモードの動作とＡＶやインターネットなどの非ナビゲーションモードの動作を制御する制御手段と、該制御手段の制御によりナビゲーションモードの情報や前記非ナビゲーションモードの情報を表示する表示部とを有し、前記制御手段は現在位置が特定の地点に所定距離近づいたとき前記特定の地点に係る案内の表示を行なわせるナビゲーション装置に於いて、
前記制御手段は、前記ナビゲーションモードのときは前記特定の地点に係る案内を前記特定地点を通過するまで表示させ、前記非ナビゲーションモードのときは前記特定地点に係る案内を所定時間表示させることを特徴とするナビゲーション装置。
【請求項２】
現在位置を表示する走行モードの動作と現在位置を表示しない非走行モードの動作を制御する制御手段と、該制御手段の制御により走行モードの情報や前記非走行モードの情報を表示する表示部とを有し、前記制御手段は現在位置が特定の地点に所定距離近づいたとき前記特定の地点に係る案内の表示を行なわせるナビゲーション装置に於いて、
前記制御手段は、前記走行モードのときは前記特定の地点に係る案内を前記特定地点を通過するまで表示させ、前記非走行モードのときは前記特定地点に係る案内を所定時間表示させることを特徴とするナビゲーション装置。
【請求項３】
前記特定の地点は走行予定経路で曲がる交差点てあり、前記特定の地点に係る案内の表示は交差点拡大表示であることを特徴とする請求項１あるいは請求項２に記載のナビゲーション装置。
【請求項４】
前記制御手段は前記非ナビゲーションモードのときあるいは前記非走行モードのときの前記経路案内を画面の一部に表示させることを特徴とする請求項１あるいは２に記載のナビゲーション装置。
【発明の詳細な説明】
【０００１】
【産業上の利用分野】
本発明は、経路案内を行うナビゲーション装置に関する。
【０００２】
【従来の技術】
現在、市販されているナビゲーション装置は現在位置を表示する走行モードと、現在位置を表示せずに観光地案内や交通情報などを表示する非走行モードがある。また、ナビゲーション装置はナビゲーションモード以外のモードとして、ＡＶ（オーディオ・ビジュアル）（テレビ、ビデオ再生、ＣＤ再生など）の情報やインターネットの情報を表示する非ナビゲーションモードもある（特許登録第２９１０５４４号公報参照）。
【０００３】
【発明が解決しようとする課題】
しかしながら、前記非走行モードや非ナビゲーションモードのときは、経路案内の表示を行わないために、曲がるべき交差点を見逃したり、注意すべき目標物を見逃すおそれがあった。
【０００４】
【課題を解決するための手段】
本発明のナビゲーション装置はかかる点に鑑みなされたもので、ナビゲーションモードの動作とＡＶやインターネットなどの非ナビゲーションモードの動作を制御する制御手段と、該制御手段の制御によりナビゲーションモードの情報や前記非ナビゲーションモードの情報を表示する表示部とを有し、前記制御手段は現在位置が特定の地点に所定距離近づいたとき前記特定の地点に係る案内の表示を行なわせるナビゲーション装置に於いて、
前記制御手段は、前記ナビゲーションモードのときは前記特定の地点に係る案内を前記特定地点を通過するまで表示させ、前記非ナビゲーションモードのときは前記特定地点に係る案内を所定時間表示させる。
【０００５】
また、前記制御手段は、前記走行モードのときは前記特定の地点に係る案内を前記特定地点を通過するまで表示させ、前記非走行モードのときは前記特定地点に係る案内を所定時間表示させる。
【０００６】
【発明の実施の形態】
本発明の第１の実施例を図面に基づき説明する。実施例のナビゲーション装置はナビゲーションモード、テレビモード、ビデオモードとＣＤモードを有する。図１は実施例の要部の構成を示すブロック図である。制御回路（１）はＲＯＭ（２）に書き込まれたプログラムに基づいて各部を制御する。ＲＡＭ（３）は制御回路（１）の動作に必要な情報を記憶する。ＤＶＤ再生装置（４）はナビゲーションモードのときはＤＶＤやＣＤ―ＲＯＭから地図情報を読み取り、ビデオモードのときはＤＶＤから画像と音声を読み取り、ＣＤモードのときはＣＤから曲を読み取る。ＧＰＳ（Ｇｌｏｂａｌ  Ｐｏｓｉｔｉｏｎｉｎｇ  Ｓｙｓｔｅｍ）測位手段（５）はＧＰＳ衛星からの電波を受信して現在位置を測定し、測定データを制御回路（１）に出力する。入力部（６）は使用者がモード切替などの各種の操作を行う。液晶の表示部（７）は地図情報や周辺情報や現在位置を制御回路（１）の制御に基づき表示する。音声合成回路（８）は制御回路（１）が指定する音声信号を発生する。スピーカ（９）からは報知音や音声が出力される。テレビ受信回路（１０）はテレビ局からテレビの映像や音声を受信する。
【０００７】
次に実施例の動作を示す。図２は制御回路（１）の主要な動作を示すフローチャートである。ナビゲーション装置が車両に搭載され、予め、出発点、経由地、目的地の走行予定経路と接近の報知を行う目標物（途中下車するレストランや観光地など）が登録され、車両がこの経路を走行中である。尚、テレビモード、ビデオモード、ＣＤモードの非ナビゲーションモードであっても、制御回路（１）は現在位置に対する経路案内の監視を行う。
【０００８】
現在位置が曲がるべき交差点に所定距離（例えば１００ｍ）近づくと（Ｓ１のＹ）、ナビゲーションモードか否かを調べる（Ｓ２）。ナビゲーションモードであった場合、制御回路（１）は、例えば「ポーン」という注意を知らせる報知音をスピーカ（９）から出力させ（Ｓ３）、例えば「およそ１００ｍ先右方向です」という案内の音声をスピーカ（９）から出力させる（Ｓ４）。そして、図３に示す如く、交差点を通過するまで、交差点拡大図を画面の一部分にウインドウで表示させる（Ｓ５）。
【０００９】
ステップＳ２で、ナビゲーションモード以外のモードであった場合、制御回路（１）は、ステップＳ３と同様の報知音をスピーカ（９）から出力させる（Ｓ６）。そして、例えば「およそ１００ｍ先右方向です」という案内の文字と交差点拡大図を画面の一部分に５秒間表示させる（Ｓ７）。例えば、図４のテレビ表示画面の場合、図５に示す如く、テレビ表示と重ならないようにテレビ表示の領域を小さくして、「およそ１００ｍ先右方向です」という案内の文字と交差点拡大図を表示する。
【００１０】
また、制御回路（１）は、予め設定された目標物に近づくと（Ｓ８のＹ）、ナビゲーションモードか否かを調べる（Ｓ９）。ナビゲーションモードであった場合、制御回路（１）は、ステップＳ３と同様の報知音をスピーカ（９）から出力させ（Ｓ１０）、例えば「およそ１００ｍ先にレストランがあります」という案内の音声をスピーカ（９）から出力させる（Ｓ１１）。そして、目標物を通過するまで、図６に示す如く、「およそ１００ｍ先にレストランがあります」という案内の文字を画面に表示させる（Ｓ１２）。
【００１１】
ステップＳ１０で、ナビゲーションモード以外のモードであった場合、制御回路（１）は、ステップＳ３と同様の報知音をスピーカ（９）から出力させ（Ｓ１３）、例えば「およそ１００ｍ先にレストランがあります」という案内の文字を５秒間画面に表示させる（Ｓ１４）。
【００１２】
このようにして、以外のモードであっても、曲がるべき交差点や報知すべき目標物の案内を行うことができる。
【００１３】
尚、上述の実施例では非ナビゲーションモードのときにステップＳ７で５秒間交差点の拡大表示を行ったが、交差点の表示を行うか否かを使用者が選択できるようにしてもよい。また、交差点の表示時間を使用者が操作できるようにしてもよい。また、ステップＳ１３の後に目標物の位置を画面の一部に表示させてもよい。また、交差点や目標物の位置を所定時間、全画面に表示させてもよい。
【００１４】
ところで、ナビゲーションモードには現在位置を表示する走行モードと、現在位置を表示しない非走行モードがある。非走行モードは、経路の設定、経路の模擬走行、所定位置の登録、観光地や地図の検索などである。
【００１５】
図７のフローチャートに示す如く、この非走行モードでも、非ナビゲーションモードと同様に、交差点が近づけば交差点に関する情報を表示させたり（図８参照）、目標物が近づけば目標物に関する情報を表示させてもよい（図９参照）。
【００１６】
【発明の効果】
上述の如く、本発明は、曲がるべき交差点や予め指定された目標物などの案内が必要な特定の地点に近づいたとき、ナビゲーションモードでなくてもその案内を行う。これにより、曲がるべき交差点や予め指定された目標物などを見逃すことを防止する。。
【図面の簡単な説明】
【図１】本発明の実施例の構成を示すブロック図である。
【図２】実施例の動作を示すフローチャートである。
【図３】ナビゲーションモードでの曲がるべき交差点の案内表示を示す図である。
【図４】テレビモードの通常の表示を示す図である。
【図５】テレビモードでの曲がるべき交差点の案内表示を示す図である。
【図６】テレビモードでの目標物の案内表示を示す図である。
【図７】他の実施例の動作を示すフローチャートである。
【図８】非走行モードでの曲がるべき交差点の案内表示を示す図である。
【図９】非走行モードでの目標物の案内表示を示す図である。
【符号の説明】
１    制御回路
４    ＤＶＤ再生装置
５    ＧＰＳ測位手段
６    入力部
７    表示部
８    音声合成回路
１０  テレビ受信回路
【図１】
0003842978.tif 000002
【図２】
0003842978.tif 000003
【図３】
0003842978.tif 000004
【図４】
0003842978.tif 000005
【図５】
0003842978.tif 000006
【図６】
0003842978.tif 000007
【図７】
0003842978.tif 000008
【図８】
0003842978.tif 000009
【図９】
0003842978.tif 000010